(57)【特許請求の範囲】
【請求項１】
既設屋根上に設置する外設部材を取り付けるための持出部材の設置構造であって、
前記持出部材は、固定部と、該固定部から立ち上がる縦部と、該縦部から横方向へ延在する取付部とを備え、
既設屋根を形成する屋根材及び断熱材を切除し、切除により形成された開口縁が、その外側よりも高くなるように切除するか、或いは切除後に開口縁がその外側よりも高くなるように加工しておき、該切除部分に、前記持出部材の固定部が構造材上に固定されると共に断熱材が充填され、その表面が防水シートで覆って隙間がシールされていることを特徴とする持出部材の設置構造。
【請求項２】
充填する断熱材は、射出成形されるウレタン充填材又はシリコーン充填材であることを特徴とする請求項１に記載の持出部材の設置構造。
【請求項３】
既設屋根上に設置する外設部材を取り付けるための持出部材の施工方法であって、
前記持出部材は、固定部と、該固定部から立ち上がる縦部と、該縦部から横方向へ延在する取付部とを備え、
既設屋根を形成する屋根材及び断熱材を切除し、切除により形成された開口縁が、その外側よりも高くなるように切除するか、或いは切除後に開口縁がその外側よりも高くなるように加工しておく第１の工程と、
該切除部分に前記持出部材の固定部を構造材上に固定する第２の工程と、
前記切除部分に断熱材を充填する第３の工程と、
その表面を防水シートで覆うと共に隙間をシールする第４の工程とからなることを特徴とする持出部材の施工方法。
【請求項４】
既設屋根に請求項１〜２の何れか一項に記載の持出部材の設置構造を設置し、さらにその持出部材の取付部に外設部材を取り付けてなることを特徴とする外設部材の取付構造。
【請求項５】
既設屋根に請求項１〜２の何れか一項に記載の持出部材の設置構造を設置し、さらにその持出部材の取付部に支持部材を固定し、該支持部材上に改修屋根を構築してなることを特徴とする改修構造。
【発明の詳細な説明】
【技術分野】
【０００１】
本発明は、既存屋根の下地構成に影響を受けることなく、さらに既存屋根の機能を損なうことなく太陽電池システム、緑化構造等の外設構造を取り付けることができる持出部材の設置構造、施工方法、外設部材の取付構造、および改修構造に関する。
【背景技術】
【０００２】
近年、社会的情勢及び政治的情勢が相俟って太陽エネルギー変換モジュールへの期待はますます高まっており、既設の構造物や建築物の屋根面への太陽電池パネルの取り付け要請もまた高まっている。
他方、二酸化炭素を減少させるために、屋根面を緑化して温度低下や光合成を行わせる試みも盛んに行われている。
【０００３】
従来、太陽電池パネルや緑化構造等の外設構造を設置するための最も簡易な方法としては、取付用の金具などを既存屋根に直接固定し、固定箇所をシーリングしたものが多々存在する。
また、例えば縦葺き屋根上に外設構造を設置する場合は、屋根の縦桟部分（屋根板もしくはカバー）に直接釘（ビス）等を打ち込んで固定したり、屋根材のハゼ部（縦桟）の外側を金具で挟み、ボルトで締着して取り付ける方法が知られている。
【発明の概要】
【発明が解決しようとする課題】
【０００４】
しかし、前述の取付用の金具などを既存屋根に直接固定して固定箇所をシーリングする方法では、屋根材にビス等で固定するため、ビス穴からの漏水や、経年によってビス穴が拡がり、固定強度の低下や漏水の懸念が大きくなるものであった。また、このような固定は建築物の躯体（母屋や垂木）に固定するのが強度上好ましいが、既存屋根があることで垂木等の位置特定に手間がかかることから、垂木上に敷設されている下地材（合板等）に固定されているものも存在した。
また、近年、躯体上に断熱材等の下地材を配することで断熱性能を高めた建築物も存在するが、屋根から躯体までの距離が長くなり、より位置の特定が難しく、固定時のずれが大きくなり所望の位置に固定できないという問題もあった。
さらに、断熱材等の下地材が経年の劣化によって「やせる」と、屋根材と下地材間に隙間ができ、固定金具等の強度が低下するという問題も生じていた。
また、前述の屋根材のハゼ部（縦桟）の外側を金具で挟み込む方法では、ボルトの締着強度が十分でないと、ズレ動いたり落下することがあり、締め付けすぎると、ハゼ部や金具が変形又は破断することがあった。
【０００５】
そこで、本発明は、既存屋根の下地構成に左右されることなく、さらには、屋根としての雨仕舞の機能低下、建築物の持つ各種性能を低下させることなく外設部材を取り付けるための持出部材の取付構造、施工方法、外設部材の支持構造、及び外装構造を提案することを目的とする。
【課題を解決するための手段】
【０００６】
本発明は、上記に鑑み提案されたものであって、既設屋根上に設置する外設部材を取り付けるための持出部材の設置構造であって、前記持出部材は、固定部と、該固定部から立ち上がる縦部と、該縦部から横方向へ延在する取付部とを備え、既設屋根を形成する屋根材及び断熱材を切除し、切除により形成された開口縁が、その外側よりも高くなるように切除するか、或いは切除後に開口縁がその外側よりも高くなるように加工しておき、該切除部分に、前記持出部材の固定部が構造材上に固定されると共に断熱材が充填され、その表面が防水シートで覆って隙間がシールされていることを特徴とする持出部材の設置構造に関するものである。
【０００７】
また、本発明は、前記持出部材の設置構造において、充填する断熱材は、射出成形されるウレタン充填材又はシリコーン充填材であることを特徴とする持出部材の設置構造も提案する。
【０００８】
さらに、本発明は、既設屋根上に設置する外設部材を取り付けるための持出部材の施工方法であって、前記持出部材は、固定部と、該固定部から立ち上がる縦部と、該縦部から横方向へ延在する取付部とを備え、既設屋根を形成する屋根材及び断熱材を切除し、切除により形成された開口縁が、その外側よりも高くなるように切除するか、或いは切除後に開口縁がその外側よりも高くなるように加工しておく第１の工程と、該切除部分に前記持出部材の固定部を構造材上に固定する第２の工程と、前記切除部分に断熱材を充填する第３の工程と、その表面を防水シートで覆うと共に隙間をシールする第４の工程とからなることを特徴とする持出部材の施工方法をも提案する。
【０００９】
また、本発明は、既設屋根に前記の持出部材の設置構造を設置し、さらにその持出部材の取付部に外設部材を取り付けてなることを特徴とする外設部材の取付構造をも提案するものである。
【００１０】
さらに、本発明は、既設屋根に前記の持出部材の設置構造を設置し、さらにその持出部材の取付部に支持部材を固定し、該支持部材上に改修屋根を構築してなることを特徴とする改修構造をも提案するものである。
【発明の効果】
【００１１】
本発明の持出部材の設置構造及び施工方法は、既設屋根を形成する屋根材及び断熱材を切除し、切除により形成された開口縁が、その外側よりも高くなるように切除するか、或いは切除後に開口縁がその外側よりも高くなるように加工しておき、該切除部分に、持出部材を構造材上に固定して断熱材を充填し、その表面を防水シートで覆って隙間をシールしたので、持出部材は構造材上に強固に取り付けることができ、そのために切除した部分の断熱性能は断熱材を充填することにより補われ、雨仕舞い性能は防水シートで覆ってシールすることによって補われる。したがって、既存屋根の下地構成に左右されることなく、さらには屋根としての雨仕舞の機能低下、建築物の持つ各種性能を低下させることなく外設部材を取り付けることができ、どのような仕様の既設屋根にも適用でき、どのような仕様の太陽電池パネル等の外設部材にも、或いは改修屋根にも適用できる。
また、本発明は、屋根上に持出金具の固定部が位置するものではなく、持出金具の固定部が母屋等に近い位置にあるため、固定の精度を出しやすい。さらに、断熱材（特に発泡系）が経年の劣化により「やせる」ことがあっても雨仕舞の機能や建築物の持つ各種性能を低下させるような影響を受けることがないものである。
【００１２】
特に充填する断熱材が、射出成形されるウレタン充填材又はシリコーン充填材である場合、持出部材を取り付けるためにビス等の固定具を用いて取り付ける場合に、該固定具の穴からの漏水を防止する機能を容易に付帯させることができる。
【００１３】
また、前記持出部材の取付構造を用いた本発明の外設部材の取付構造は、前述のように構造材に取り付けた持出部材に外設部材を取り付けたものであるから、高重量の太陽電池システムや緑化構造などの設置にも対応することができる。
【００１４】
さらに、前記持出部材の取付構造を用いた本発明の改修構造は、既設の瓦屋根や形式に関わらず任意の屋根構造を支持部材に構築することができ、二重の雨仕舞い構造、二重の断熱構造を備える屋根構造とすることができる。また、従来の改修工法のように既設の瓦屋根を取り外す必要がないので、施工の手間が低減され、廃材の処理の必要もないものとなる。
【図面の簡単な説明】
【００１５】
【図１】本発明の外設部材として太陽電池パネルを施工した取付構造の一実施例を示す側断面図である。
【図２】図１の取付構造の正断面図である。
【図３】（ａ）図１の外設部材の取付構造に用いられた持出部材の取付構造の施工手順を示すものであって、既設屋根の外装材及び断熱材を部分的に切除した状態を示す側断面図、（ｂ）持出部材を構造材上に固定した状態を示す側断面図、（ｃ）断熱材を充填し、防水シートで覆って隙間をシールした状態を示す側断面図である。
【図４】改修屋根として横葺き外装構造を施工した改修構造の一実施例を示す側断面図である。
【発明を実施するための形態】
【００１６】
本発明の持出部材の設置構造は、固定部と、縦部と、取付部とからなる持出部材を、既設屋根上に設置する構成である。なお、持出部材という名称に関し、持出金具（もちだしかなぐ）という名称が一般的であるが、金属製に限定されるものではなく、例えば硬質の樹脂成型品でもよいため、持出部材とした。
【００１７】
前記持出部材は、前述のように固定部と、縦部と、取付部とを必須構成として備えるものであり、それ以外の構成については全く限定するものではなく、単一の成型部材からなるものでも、後述する図示実施例のように複数部材を溶接して一体化したものでも、固定具による接合等の手段にて一体化したものでもよい。
前記固定部は、構造材上に取り付ける部分を指し、後述する断熱材の充填に際し、断熱材に覆われて埋設状になる部分を指す。
前記縦部は、前記固定部から上方へ延在し、その上端が少なくとも既設屋根の表面に突出する部分を指すものであって、下端付近は、前記固定部と同様に断熱材の充填によって埋設状となる。
前記取付部は、前記縦部の上端から側方へ延在する横片部分を指すものであって、後述する図示実施例のようにこの取付部に直接外設部材（太陽電池パネル）の支持部材（縦支持材）を取り付けてもよいし、そのための取付孔を一つ又は複数予め設けておいてもよく、或いは流れ方向又は桁行き方向に連続する支持部材を取り付け固定し、該支持部材に外設部材又は改修屋根を構築するようにしてもよいし、また、そのための受部材を固定するようにしてもよい。
【００１８】
また、本発明において、断熱材を部分的に切除した後にその切除部分に充填する断熱材としては、特に限定するものではなく、公知の断熱材を用いることができ、定形の断熱材でも不定形の断熱材でもよく、またそれらを組み合わせて用いてよい。また必ずしも新たな断熱材に限るものではなく、例えば切除した断熱材が使用可能であればその一部を再利用してもよい。
【００１９】
また、本発明において、屋根材を部分的に切除した後にその切除部分の表面を覆う防水シートとしては、特に限定するものではなく、公知の防水シートを用いることができる。
なお、この防水シートは、前記切除部分の上方に前記持出部材の縦部を延在させる必要があり、その具体的な手法としては、予め防水シートに持出部材の縦部を挿通させる通孔を形成しておき、持出部材を固定する以前、又は固定した後に前記通孔に持出部材の縦部を挿通させる方法、予め防水シートにスリット（切れ込み）を入れたり複数片に分割して持出部材の縦部の周囲を覆う方法がある。例えば後述する図示実施例のように持出部材が複数部材から構成され、防水シートの通孔より幅広の部材を組み合わせて形成される場合などには、持出部材を一体化させる以前の部材の縦部に、防水シートを取り付けておくようにしてもよい。
さらに、この防水シートの接着方法についても特に限定するものではなく、各種接着剤を用いて接合してもよいし、防水シートの裏面の樹脂層をホットメルト接着剤として熱溶融して接合してもよい。また、適宜にシール材などを用いて隙間を埋めるようにしてもよい。なお、この隙間とは、防水シートの端縁と屋根材との隙間、前記持出部材の縦部の周囲の隙間が含まれる。
【００２０】
前記構成の持出部材を既設屋根上に設置するに際し、本発明の施工方法では、まず、第１の工程として、既設屋根を形成する屋根材及び断熱材を部分的に切除し、次に、第２の工程として、前記切除部分に前記持出部材の固定部を構造材上に固定し、続いて、第３の工程として、前記切除部分に断熱材を充填し、さらに、第４の工程として、その表面を防水シートで覆うと共に隙間をシールする。
【００２１】
〔第１の工程〕
この第１の工程では、前述のように既設屋根を形成する屋根材及び断熱材のそれぞれ一部を部分的に切除する。
後述する図示実施例のように、屋根材については切除により形成された開口縁が、その外側よりも高くなるように切除するか、或いは切除後に開口縁がその外側よりも高くなるように加工しておく。すなわち開口縁がその外側よりも高いと、防水シートで覆う作業やシール作業が容易であり、また当該部分に雨水が溜まることがないため、漏水を引き起こしにくいという利点がある。
断熱材の切除については、使用する持出部材の固定部の面積以上であればよく、構造材を必ずしも露出させる必要はなく、例えば後述する図示実施例のように既設屋根が構造材の上に下地層（耐火野地板）を、その上に防水紙、及び断熱層を備える場合には、最上層に位置する断熱層を構成する断熱材のみを切除すればよく、その裏面側の防水紙や下地層（耐火野地板）については傷付けないことが望ましい。そして、この切除（加工）に使用する器具についても何等特定するものではなく、円盤状の砥石を高速回転させるグラインダなどを使用して研磨状に切除する、すなわち凹部を掘設するものでもよい。
【００２２】
〔第２の工程〕
この第２工程では、前記第１の工程にて形成した切除部分に、前記持出部材の固定部を構造材上に固定する。
この持出部材の固定部を構造材上に固定するための固定手段については特に限定するものではなく、公知のどのような手段を用いてもよい。構造材が露出している場合には、固定部と構造材とは接触するので、溶接等にて接着させて固定（面接合）してもよいし、例えば後述する図示実施例のように、構造材が露出することなくその表面に下地層（耐火野地板）が配置されている場合には、その下地層（耐火野地板）を貫通する固定具を用いて構造材に固定すればよい。なお、断熱性の高い固定具を用いることにより、冷熱橋を防止するようにしてもよい。
【００２３】
〔第３の工程〕
この第３の工程では、前記第１の工程にて形成した切除部分に（前記第２の工程にて固定した持出部材の固定部の上から）断熱材を充填する。
充填する断熱材は、前述のように定形の断熱材でも不定形の断熱材でもよいが、前記第１の工程にて切除した断熱材の端面が凸凹である場合などには、例えばウレタン充填材又はシリコーン充填材のように不定形の断熱材を用いる方が望ましい。これらの不定形の断熱材は、容易に射出成形され、残存する断熱材と高い密着性を有して新たな断熱層を形成することができる。しかも撥水性をも具備させることができるため、後述する図示実施例のように、構造材上に下地層が存在し、その下地層を持出部材の固定部をビス等の固定具を用いて取り付ける場合に、該固定具の穴からの漏水を前記不定形の断熱材が防止することができる。
【００２４】
〔第４の工程〕
この第４の工程では、その表面を防水シートで覆うと共に隙間をシールする。
ここで、「その表面」とは、切除した部分全体を指すものであり、表面側には屋根材が位置するので、第１の工程にて形成した（切除した）屋根材の切除部分を意味する。さらに、「防水シートで覆うと共に隙間をシールする」とは、防水シートを用いて屋根材の切除部分を水密に覆うことを意味している。
具体的には防水シートの端縁を屋根材の開口縁の外側に水密に接合（接着）すればよく、前述のように各種接着剤を用いて接合してもよいし、防水シートの裏面の樹脂層をホットメルト接着剤として熱溶融して接合してもよい。また、後述する図示実施例のように端縁の隙間及び縦部の周囲の隙間をシール材にて埋めるようにしてもよい。なお、この防水シートとしては、耐熱性に富む不織布積層防水シート（裏面側に不織布を積層してなる）を用いてもよい。
【００２５】
なお、前記第２の工程では、第１の工程にて形成した切除部分に持出部材の固定部を固定することを説明したが、後述する図示実施例のように持出部材が複数部材により構成される場合には、この時点では固定部を含む下側を構成する部材のみが固定されていればよく、その後に上側を構成する部材を一体化させるようにしてもよい。
【００２６】
前述のように前記持出部材の取付部には、後述する図示実施例のように直接外設部材（太陽電池パネル）の支持部材（縦支持材）を取り付けてもよいし、流れ方向又は桁行き方向に連続する支持部材を介して外設部材又は改修屋根を構築するようにしてもよく、そのための受部材を固定するようにしてもよい。
前記支持部材は、特にその形状や構成等を限定するものではないが、後述する図示実施例のように流れ方向に連続する縦支持材（外設部材の取付構造の実施例）でも垂木（改修構造の実施例）でもよいし、或いは桁行き方向に連続する長尺材又は定尺材でもよい。
【００２７】
前記支持部材に取り付けられる外設部材としては、太陽電池システムを後述する図示実施例にて説明するが、それに限定するものではなく、屋根面に適用される外設部材であれば、例えば緑化構造でも、雪止め金具でもよいし、避雷針、アンテナなどでもよい。
また、前記支持部材に取り付けられる改修構造としても、後述する図示実施例に限定されるものではなく、どのような形式の屋根を採用してもよい。
【実施例】
【００２８】
図１〜図３に示す本発明の持出部材１の設置構造は、固定部１１と、縦部１２と、取付部１３とからなる持出部材１を、段葺き屋根である既設屋根上に設置するものである。
【００２９】
図示実施例における前記持出部材１は、やや縦長のＬ字状材１ｘと横長の逆Ｌ字状材１ｙとを背中合わせに溶接してなり、Ｌ字状材１ｘの横片部が固定部１１であり、縦片部が縦部１２であり、逆Ｌ字状材１ｙの横片部が取付部１３である。
【００３０】
この持出部材１の固定部１１は、既設屋根の下地層（耐火野地板）４Ｂ上に載置されて下方に位置する構造材４Ａ上に取り付けられるものであり、左右に２つの孔（図示せず）が形成され、該孔に固着具１ｂを打ち込んで構造材４Ａに取り付けられる。
また、この持出部材１の縦部１２は、前記固定部１１から略垂直片状に上方へ延在し、その上端には横片状の取付部１３が延設されている。
この取付部１３には、孔（図示せず）が予め左右２カ所に形成され、該孔には後述する縦支持材６Ａを取り付けるための取付ビス６ｃが貫通して取り付けられる構成である。
【００３１】
前記持出部材１の固定部１１が取り付けられる構造材４Ａは、桁行き方向に連続する長尺のＣ形鋼であって、その上面には耐火野地板が下地層４Ｂとして敷設され、そのほか防水紙などが敷設された上に断熱材２が敷設され、該断熱材２の上面に段葺き状に屋根材３が敷設される構成であり、これらは定法に準じて施工すればよい。なお、４Ｃは、流れ方向に固定された母屋４Ｄに固定したＬ字材であって、前記構造材４Ａを固定するための部材である。
【００３２】
また、この実施例において、断熱材２を部分的に切除した後にその切除部分に充填する断熱材２'としては、射出成形可能なウレタン充填材を用いる。
さらに、この実施例において、屋根材３を部分的に切除した後にその切除部分の表面を覆う防水シート３'としては、持出部材１の下側を構成するＬ字状材１ｘの縦部１２を挿通可能な幅を有する通孔（図示せず）を設けた不織布積層防水シートを用い、その周囲の隙間及び端縁の隙間をシリコーン製シール材３"でシールする方法を用いている。
【００３３】
また、この実施例では、前記持出部材１の取付部１３に、外設部材８として、太陽電池パネルを取り付けたものであり、排水部６１を備える縦支持材６Ａを流れ方向に配設し、固定具６ｃ，６ｃにて固定し、該縦支持材６Ａに太陽電池パネル８の流れ方向に沿う端縁を支持させた構成である。
【００３４】
図示実施例の太陽電池パネル８は、表面側に透光材が配された太陽電池８１と、その端縁を保持すると共に裏面側に中空のスペース部分を備えるフレーム材８２とが一体的に取り付けられた構成である。
前記太陽電池パネル８における太陽電池８１としては、多結晶，単結晶，アモルファス等、どのようなものを用いてもよい。一般的に太陽電池は、導電性基体、裏面反射層、光電変換部材としての半導体層、透明導電層から構成され、上記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。例えば近年提案された可撓性を有するアモルファスシリコン太陽電池は極めて薄肉で軽量であるため好ましい。
【００３５】
前記縦支持材６Ａは、左右の側端縁に上方へ延在する一対の起立片６２，６２を備え、この起立片６２のフランジ状の下端が前記取付部１３に固定する固定部であり、略中央には隆起部６３を備え、該隆起部６３の左右の肩状部分が太陽電池パネル８，８を支持する支持部である。
そして、左右の起立片６２，６２と隆状部６３との間が、排水部６１であり、雨水を流れ方向に流す役割を果たす。また、起立片６２，６２のフランジ状の上端には、桁行き方向に配設されたジョイント部材を兼ねる流水部材６Ｂ，６Ｂが固定具６ｄ，６ｄにて固定され、流水部材６Ｂ，６Ｂの流水空間６４，６４から導かれた雨水も、排水部６１に集められて水下側へ排水される。
【００３６】
また、前記太陽電池パネル８，８の流れ方向の端縁は、表面側の隙間に不定形のシール材８３が充填され、その裏面側に配される断面略Ｗ字状のジョイント部材６Ｂにて連結されている。このジョイント部材６Ｂは、前述のように流水部材を兼ねるものであって、樋状の流水部６４の端縁を固定具６ｄにて前記縦支持材６Ａのフランジ状の上端に固定したので、流水部６４と排水部６１とが連絡され、流水部６４に流下した雨水や結露水などは排水部６１へ導かれて水下側へ流すことができる。
【００３７】
また、左右に隣接する前記太陽電池パネル８，８の表面側には、各太陽電池パネル８，８のフレーム８２，８２を押さえる押さえ部材６Ｅが配され、上方から固着具６ｆを前記縦支持材６Ａ（の隆状部６３）に打ち込んで取り付けている。
【００３８】
前記構成の持出部材１を既設屋根上に設置する本発明の施工方法の一例を図３（ａ）〜（ｃ）に基づいて説明する。
【００３９】
〔第１の工程〕
まず、第１の工程として、図３（ａ）に示すように既設屋根を形成する屋根材３及び断熱材２のそれぞれ一部を部分的に切除する。なお、図中、３０は屋根材３の切除部分を示し、２０は断熱材２の切除部分を示す。
屋根材３については、切除により形成された開口縁が、その外側よりも高くなるように形成した。
断熱材２については、下地層（耐火野地板）４Ｂ及びその上に防水紙を傷付けることがないように注意し、断熱層を構成する断熱材２のみを部分的に切除した。
【００４０】
〔第２の工程〕
次に、第２の工程として、前記第１の工程にて形成した切除部分に、前記持出部材１の下側を構成するＬ字状材１ｘの固定部１１を構造材４Ａ上に固定する。すなわちこの実施例における持出部材１は、施工前に溶接して一体化したものではなく、この時点ではＬ字状材１ｘのみを配設する。
この実施例では、構造材４Ａが露出することなくその表面に下地層（耐火野地板）４Ｂが配置されているので、図３（ｂ）に示すようにＬ字状材１ｘの固定部１１は、下地層４Ｂ上に載置され、その固定部１１に設けた孔に固着具１ｂを打ち込んで構造材４Ａに固定した。
【００４１】
〔第３の工程〕
続いて、第３の工程として、前記第１の工程にて形成した切除部分２０に断熱材（ウレタン充填材）２'を充填する。
ウレタン充填材２'は、射出成型用ガンを用いて切除部分２０の空隙に容易に必要量を充填することができ、射出されたウレタン充填材２'は切除部分２０の隅々に充填され、残存する断熱材２と高い密着性を有して新たな断熱層を形成することができた。また、このウレタン充填材２'は、Ｌ字状材１ｘを取り付ける固定具１ｂの頭部を埋め、該固定具１ｂの穴からの漏水を防止する。
【００４２】
〔第４の工程〕
さらに、第４の工程として、その表面を防水シート３'で覆うと共にその端縁の隙間をシリコーン製のシール材３"にてシールする。
防水シート３'には、前述のように通孔を設けているので、まずＬ字状材１ｘの縦部１２の上端に通孔が臨むように配し、防水シート３'の通孔からＬ字状材１ｘの縦部１２が突出するように取り付けた。次に、防水シート３'の端縁を外側へ引っ張りつつ屋根材３に対してシール材３"で接着した。なお、縦部１２の周囲に隙間もシール材３"にてシールした。
【００４３】
そして、固定したＬ字状材１ｘに対して持出部材１の上側を構成する逆Ｌ字状材１ｙを溶接して一体化する作業は、前記第４の工程の後に行うようにすればよく、こうして図３（ｃ）に示す取付状態が得られた。
【００４４】
このように施工される本発明の持出部材１の設置構造は、既設屋根を形成する屋根材３及び断熱材２を切除した部分３０，２０に、持出部材１（Ｌ字状材１ｘ）を構造材４Ａ上に固定して断熱材２'を充填し、その表面を防水シート３'で覆って隙間をシール（３"）したので、持出部材１は構造材４Ａ上に強固に取り付けることができ、そのために切除した部分３０，２０の断熱性能は断熱材２'を充填することにより補われ、雨仕舞い性能は防水シート３'で覆ってシールすることによって補われる。したがって、既存屋根の下地構成に左右されることなく、さらには屋根としての雨仕舞の機能低下、建築物の持つ各種性能を低下させることなく外設部材８を取り付けることができ、どのような仕様の既設屋根にも適用でき、どのような仕様の太陽電池パネル等の外設部材にも、或いは改修屋根にも適用できる。
また、本発明は、屋根上に持出金具１の固定部１１が位置するものではなく、持出金具１の固定部１１が母屋等に近い位置にあるため、固定の精度を出しやすい。さらに、断熱材（特に発泡系）２が経年の劣化により「やせる」ことがあっても雨仕舞の機能や建築物の持つ各種性能を低下させるような影響を受けることがないものである。
【００４５】
また、図示実施例では、充填する断熱材２'が、射出成形されるウレタン充填材であるため、持出部材１を取り付ける固定具１ｂの頭部を埋め、該固定具１ｂの穴からの漏水を防止することができる。
【００４６】
図４に示す改修構造の実施例は、前記持出部材１の取付部１３に横葺き外装構造である改修屋根を構築する例を示すものであり、前記取付部１３にＵ字状のピース材である受部材７Ｂが固着具７ｃにて固定され、該受部材７Ｂに跨るように、水流れ方向に沿って断面略ハット状の垂木７Ａが配され、この垂木７Ａ，７Ａ間には木毛セメント板又は断熱材７Ｄを取り付けて下地としている。
【００４７】
また、改修屋根を構成する横葺き外装材９Ａは、面板部９１の水下側及び水上側に成形部９２（水下側成形部），９３（水上側成形部）を設けた構成であり、面板部９１は、中央よりやや水上側で谷状に屈曲し、水下側近傍で山状に屈曲した略平坦状である。
水下側成形部９２は、面板部９１の水下縁を下方へ略鉛直状に曲げ（縦片部９２１）、その下端を水上側へ曲げ成形し、続いて上方へ段状に屈曲し（横片部９２２）、さらにその先端を裏面側へ折り返した構成とした。
水上側成形部９３は、面板部９１から延在する端縁を表面側へ段状に延在（延在部９３１）し、さらにその先端を表面側上方へ折り返し状に曲げ成形し、その上端を水下側下方へ折り曲げた構成とした。
そして、これらの水下側成形部９２と水上側成形部９３とは、敷設状態において係合する構成とした。
【００４８】
また、前記横葺き外装材９Ａを保持する保持部材７Ｅは、一般に吊子と称される部材であって、この図示実施例に用いられる保持部材７Ｅは、横葺き外装材９Ａの水上側成形部９３（被保持部）を保持する保持部７１と、定着片である固定部７２とを有する構成である。上記の固定部７２は、ハット型躯体である垂木７Ａの上面部にビス７２１により固定されている。
【００４９】
このような構成を有する改修構造は、前述のように設置した持出部材１の取付部１３（受金具７Ｂ）に、新たな改修屋根を取り付けたものであって、取り付ける改修屋根は、その構成について全く制限されるものではないため、各種メーカー及び各種寸法、各種仕様の改修屋根を適用することができ、極めて実用的価値が高いものである。
【符号の説明】
【００５０】
１  持出部材
１ｘ  Ｌ字状材
１ｙ  逆Ｌ字状材
１ｂ  固定具
１１  固定部
１２  縦部
１３  取付部
２  断熱材
２'  充填した断熱材（ウレタン充填材）
２０  切除部分
３  屋根材
３'  防水シート
３"  シール材
３０  切除部分
４Ａ  構造材
４Ｂ  下地層
６Ａ  縦支持材
６Ｂ  流水部材
７Ａ  垂木
７Ｂ  受部材
７ｃ  固着具
７Ｄ  断熱材
７Ｅ  保持部材（吊子）
８  外設部材（太陽電池システム）
９Ａ  横葺き外装材
【図１】
0005458408.tif 000002
【図２】
0005458408.tif 000003
【図３】
0005458408.tif 000004
【図４】
0005458408.tif 000005